(57)【特許請求の範囲】
【請求項１】
敷板鋼板用のリフティングマグネット装置において、
建設車両のアームに回転機構を介して連結されるマグネット支持フレームと、そのマグネット支持フレームの左右二カ所それぞれに設けられるマグネットと、各マグネットを前記マグネット支持フレームに摺動可能且つ揺動可能にそれぞれ支持するマグネット支持機構とを備え、
前記マグネット支持機構は、前記マグネット支持フレームにその下面から内方に向けて突設される左右一対の支持ブラケットと、前記マグネットにその上部から前記マグネット支持フレーム内方の一対の支持ブラケットの間の位置まで張り出して設けられるマグネット支持部材と、そのマグネット支持部材を前記一対の支持ブラケットに吊り下げる吊りピンと、自身の球体部の球面に沿って前記マグネット支持部材を揺動可能に支持すると共に、自身の球体部が前記吊りピンに摺嵌されてその球体部が吊りピンに沿って摺動可能とした球面軸受と、前記マグネット支持部材と前記一対の支持ブラケットとの間に且つ前記球面軸受の左右それぞれに設けた中立保持用緩衝材と、を有することを特徴とするリフティングマグネット装置。
【発明の詳細な説明】
【０００１】
【発明の属する技術分野】
本発明は、地盤の軟弱な場所に敷板鋼板を敷設する際に使用される敷板鋼板用のリフティングマグネット装置において、マグネットをスライド揺動可能に支持するマグネット支持機構に関するものである。
【０００２】
【従来の技術】
地盤の軟弱な場所で一時的に重量の大きい車両や機械を使用する際には、敷板鋼板を地面に敷設して、敷板鋼板上を車両の通路としたり、敷板鋼板上に機械を設置したりする。
敷板鋼板は、車両や機械の重量を分散して軟弱な地面に伝えなければならないので、ある程度の面積が必要である。また、敷板鋼板自体が車両や機械の重量で変形しないだけの強度を必要とする。このため、敷板鋼板としては、例えば、長さが約３〜６ｍ、幅が約１．５ｍ、板厚が約１９〜２５ｍｍという大きな鋼板が用いられている。従って、敷板鋼板は、重量が約９８００〜１９６００Ｎ（１０００〜２０００ｋｇ）の重量物となる。
【０００３】
通常、敷板鋼板は、保管場所に積み重ねて保管されており、必要に応じて運搬用の車両に積込んで使用現場まで運搬し、そこで車両から積卸して地面に敷設される。
敷板鋼板は、使用現場の所要の場所に速やかに敷設することが必要であり、作業の進捗に伴って頻繁に移設が必要となることが多い。また、作業の終了後は速やかに撤去しなければならない。
【０００４】
そこで、図４に示すように、敷板鋼板１の積込み積卸しには、油圧ショベル等の建設車両２に装備されたリフティングマグネット装置３が用いられている。
リフティングマグネット装置3 は、建設車両２のアーム４に回転機構５を介して連結されるマグネット支持フレーム１１の左右二カ所にマグネット１３が所定間隔で取付けられている。
【０００５】
従来のマグネット１３の支持機構には、図５に示すように、マグネット支持フレーム１１から緩衝材５０を介して吊りボルト５１でマグネット１３を揺動可能に吊り下げ支持するものや、図７、図８に示すように、マグネット１３の上面にマグネット支持部材７１を固設し、このマグネット支持部材７１をマグネット支持フレーム１１の支持ブラケット７２に吊りピン７３で左右揺動可能に吊り下げ支持するものがある。
【０００６】
【発明が解決しようとする課題】
リフティングマグネット装置３で敷板鋼板１を吸着して積込み積卸しを行う場合、敷板鋼板１は撓みを生じる。
このため、マグネット支持フレーム１１から吊りボルト５１でマグネット１３を吊り下げた支持機構では、図６に示すように、敷板鋼板１の撓みによってマグネット１３と吊りボルト５１が揺動する。
【０００７】
敷板鋼板１を急激に昇降させると撓みが大きくなるが、吊りボルト５１はマグネット支持フレーム１１の吊りボルト孔５２によって揺動範囲が制限されているので、吊りボルト５１が吊りボルト孔５２の縁部に当接し、当接部を支点として曲げを生じ、ねじ部の摩耗や折損を生じるおそれがある。
また、マグネット支持部材７１をマグネット支持フレーム１１の支持ブラケット７２に吊りピン７３で吊り下げた支持機構では、図９に示すように、敷板鋼板１の撓みによってマグネット１３とマグネット支持部材７１とが吊りピン７３を中心として左右に揺動する。
【０００８】
しかし、この支持機構ではマグネット１３は、左右には揺動可能であるが前後には揺動できないので、敷板鋼板１の前後方向への撓みには追従することができず、敷板鋼板１の落下を生じるおそれがある。
なお、図１０に示すように、マグネット支持フレーム１１の左右二カ所に設けられているマグネット１３のマグネット支持部材７１の支点Ｐl 、Ｐ2 間の距離Ｌl は一定であるが、敷板鋼板１が水平な状態であるときにマグネット支持部材７１の支点Ｐl 、Ｐ2 を通る鉛直線が敷板鋼板１と交わる交点Ｐ3 、Ｐ4 間の水平距離Ｌ2 は、図１１に示すように、敷板鋼板１の撓みに伴って変化する。
【０００９】
従って、マグネット１３の吸着面と敷板鋼板１の表面との間で滑りを生じ、マグネット１３の吸着面の摩耗や敷板鋼板１の落下を引き起こすおそれもある。
本発明は、敷板鋼板用のリフティングマグネット装置における上記問題を解決するものであって、マグネットが敷板鋼板の撓みに追従可能で、部材の損傷やマグネットの吸着面と敷板鋼板との間の滑りをなくして敷板鋼板を確実に保持することができ、安全に敷板鋼板の積込み積卸しが可能なリフティングマグネット装置のマグネット支持機構を提供することを目的とする。
【００１０】
【課題を解決するための手段】
本発明のリフティングマグネット装置のマグネット支持機構は、敷板鋼板用のリフティングマグネット装置において、マグネット支持フレームに支持ブラケットを設け、マグネットにマグネット支持部材を設け、マグネット支持部材を支持ブラケットに球面軸受を介して揺動可能に吊りピンで吊り下げ、吊りピンに沿って摺動可能に支持すると共に、マグネット支持部材と支持ブラケットとの間に中立保持用緩衝材を設けることにより、上記課題を解決している。
【００１１】
このリフティングマグネット装置のマグネット支持機構では、マグネット支持部材が敷板鋼鈑の撓みに応じて前後左右に揺動し、且つ吊りピンに沿って摺動するので、支持機構の部材の損傷やマグネットの吸着面と敷板鋼板との間の滑りが防止され、敷板鋼板を確実に保持することができ作業の安全性が向上する。また、マグネットの吸着面の摩耗も防止することができる。
【００１２】
【発明の実施の形態】
図１は本発明の実施の一形態であるリフティングマグネット装置のマグネット支持機構の構成図、図２は図１のＡ−Ａ線断面図、図３はマグネット支持機構の作動の説明図である。
このマグネット支持機構１０は、図４に示すような敷板鋼板用のリフティングマグネット装置３において用いられている。
【００１３】
即ち、マグネット支持機構１０は、建設車両２のアーム４に回転機構５を介して連結されるマグネット支持フレーム１１の左右二カ所に設けられている。
マグネット支持機構１０には、マグネット支持フレーム１１に支持ブラケット１２が設けられており、マグネット１３の上面にはマグネット支持部材１４が設けられている。マグネット支持部材１４には球面軸受１５がＣ形止め輪１６で固定されており、このマグネット支持部材１４が支持ブラケット１２に球面軸受１５を介して揺動可能に吊りピン１７で吊り下げられ、且つ吊りピン１７に沿って摺動可能に支持されている。
【００１４】
マグネット支持部材１４の摺動可能な距離は、敷板鋼板１をマグネット１３で吸着して昇降させるときに生ずる撓みの大きさを考慮して決定され、マグネット支持部材１４と支持ブラケット１２との間に形成される空隙には、中立保持用緩衝材１８が装着されている。
中立保持用緩衝材１８は弾性体であるので、マグネット１３が敷板鋼板１を吸着していない状態では、マグネット支持部材１４は、図１に示すように、中立保持用緩衝材１８によって左右の支持ブラケット１２の中央の基準位置に保持されている。
【００１５】
図３に示すように、マグネット１３で敷板鋼板１を吸着して積込み積卸しを行う場合、敷板鋼板１は撓みを生じる。
このとき、球面軸受１５は吊りピン１７に沿って摺動可能であり、且つマグネット支持部材１４を何れの方向にも揺動させることができるので、マグネット１３は敷板鋼板１に対して滑りを生ずることなく撓みに追従して変位する。
【００１６】
よって、マグネット１３は敷板鋼板１を落下しないよう確実に保持することができ作業の安全性が向上する。また、マグネット７の吸着面の摩耗も防止することができる。
マグネット１３から敷板鋼板１を離脱させると、マグネット支持部材１４は、中立保持用緩衝材１８によって左右の支持ブラケット１２の中央の基準位置に戻る。
【００１７】
【発明の効果】
以上説明したように、本発明の敷板鋼板用リフティングマグネット装置は、マグネットが敷板鋼板の撓みに追従可能で、支持機構の部材の損傷やマグネットの吸着面と敷板鋼板との間の滑りが防止され、敷板鋼板を確実に保持することができ作業の安全性が向上する。また、マグネットの吸着面の摩耗も防止することができる。
【図面の簡単な説明】
【図１】本発明の実施の一形態であるリフティングマグネット装置のマグネット支持機構の構成図である。
【図２】図１のＡ−Ａ線断面図である。
【図３】マグネット支持機構の作動の説明図である。
【図４】リフティングマグネット装置を建設車両に装備した状態の説明図である。
【図５】従来のマグネット支持機構の構成図である。
【図６】従来のマグネット支持機構の作動の説明図である。
【図７】従来のマグネット支持機構の構成図である。
【図８】従来のマグネット支持機構の構成図である。
【図９】従来のマグネット支持機構の作動の説明図である。
【図１０】敷板鋼板の変形前の状態を示す図である。
【図１１】敷板鋼板の撓みによる変形状態を示す図である。
【符号の説明】
１      敷板鋼板
２      建設車両
３      リフティングマグネット装置
４      アーム
５      回転機構
１０    マグネット支持機構
１１    マグネット支持フレーム
１２    支持ブラケット
１３    マグネット
１４    マグネット支持部材
１５    球面軸受
１６    Ｃ形止め輪
１７    吊りピン
１８    中立保持用緩衝材
【図１】
0004011380.tif 000002
【図２】
0004011380.tif 000003
【図３】
0004011380.tif 000004
【図４】
0004011380.tif 000005
【図５】
0004011380.tif 000006
【図６】
0004011380.tif 000007
【図７】
0004011380.tif 000008
【図８】
0004011380.tif 000009
【図９】
0004011380.tif 000010
【図１０】
0004011380.tif 000011
【図１１】
0004011380.tif 000012